(57)【特許請求の範囲】
【請求項１】
一辺部に配列された複数の半導体チップ搭載領域を有する表示パネルと、複数の電源用電極および複数の信号入力用電極を有し、前記表示パネルの前記各半導体チップ搭載領域に搭載された複数の半導体チップと、前記表示パネルの一辺部のみに沿って配置され、前記半導体チップ搭載領域の外側に接合されたフレキシブル配線基板とを備えた表示装置において、前記表示パネルの各半導体チップ搭載領域の中、一端側に位置する半導体チップ搭載領域に対応して前記一辺部に垂直な方向に延出された電源用配線、第１の信号入力配線および第２の信号用入力配線を設け、他の半導体チップ搭載領域に対応して前記一辺部に垂直な方向に延出された電源用配線および第１の信号入力配線を設け、前記複数の半導体チップ搭載領域の中、前記一端側の半導体チップ搭載領域に対応して形成された第２の信号用入力配線を前記各半導体チップ搭載領域内を通過し、且つ、他の半導体チップ搭載領域に対応して形成された第２の信号用入力配線に接続されるよう引き回し、前記フレキシブル配線基板に、前記各半導体チップ搭載領域に対応して形成された前記電源用配線および前記第１の信号入力配線に接続される接続端子を設け、且つ、前記一端側の半導体チップ搭載領域に対応して形成された第２の信号用入力配線に接続される接続端子を設けたことを特徴とする表示装置。
【発明の詳細な説明】
【０００１】
【発明の属する技術分野】
この発明は液晶表示装置等の表示装置に関する。
【０００２】
【従来の技術】
図５は従来の液晶表示装置の一例の平面図を示したものである。この液晶表示装置はアクティブマトリクス型の液晶表示パネル１を備えている。液晶表示パネル１は、下ガラス基板２と上ガラス基板３とがシール材（図示せず）を介して貼り合わされ、その間に液晶（図示せず）が封入されたものからなっている。この場合、下ガラス基板２の下辺部および右辺部は上ガラス基板３から突出されている。
【０００３】
下ガラス基板２の下側の突出部２ａの上面の所定の３箇所に直列的に設けられた半導体チップ搭載領域２１（図６（ａ）参照）には半導体チップ４が異方性導電接着剤（図示せず）を介して搭載されている。下ガラス基板２の右側の突出部２ｂの上面の所定の箇所に設けられた半導体チップ搭載領域には半導体チップ５が異方性導電接着剤（図示せず）を介して搭載されている。半導体チップ４、５は、液晶駆動用のＬＳＩ等からなっている。
【０００４】
下ガラス基板２の上面において二点鎖線で囲まれた表示領域６には、図示していないが、複数の走査線が行方向（図５の紙面左右方向）に延びて設けられているとともに、複数の信号線が列方向（図５の紙面上下方向）に延びて設けられている。走査線の右端部は、下ガラス基板２の上面の所定の箇所に設けられた出力配線７を介して右側の半導体チップ５に接続されている。したがって、右側の半導体チップ５は複数の走査線に電圧を供給する走査線駆動用のものである。信号線の下端部は、下ガラス基板２の上面の所定の３箇所に設けられた出力配線８を介して下側の半導体チップ４に接続されている。したがって、下側の半導体チップ４は複数の信号線に電圧を供給する信号線駆動用のものである。
【０００５】
下ガラス基板２の下側の突出部２ａの上面において半導体チップ４搭載領域の外側にはフレキシブル配線基板１１の一端部下面が異方性導電接着剤（図示せず）を介して接合されている。フレキシブル配線基板１１と下側の半導体チップ４とは、下ガラス基板２の下側の突出部２ａの上面の所定の３箇所に設けられた入力配線１２を介して接続されている。フレキシブル配線基板１１と右側の半導体チップ５とは、下ガラス基板２の右側の突出部２ｂおよびその近傍の上面の所定の箇所に設けられた入力配線１３を介して接続されている。
【０００６】
次に、図６（ａ）は図５に示す液晶表示パネル１の所定の一部の分解した状態における拡大平面図を示したものである。下ガラス基板２の下側の突出部２ａの上面において一点鎖線で囲まれた領域２１は、半導体チップ４が搭載される半導体チップ搭載領域である。入力配線１２は、複数の幅狭の信号入力用配線１４と５つの幅広の電源用配線１５とからなっている。この場合、信号入力用配線１４および電源用配線１５の配置は、後述する半導体チップ４の仕様（信号入力用バンプ電極および電源用バンプ電極の配置）に合わせて、入り乱れた配置となっている。
【０００７】
複数の信号入力用配線１４は、半導体チップ搭載領域２１内の下辺部に設けられた複数の信号入力用電極接続端子１４ａと、これらの信号入力用電極接続端子１４ａから半導体チップ搭載領域２１の下側において下ガラス基板２の下側の突出端近傍まで延ばされた複数の信号入力用端子１４ｂとからなっている。５つの電源用配線１５は、半導体チップ搭載領域２１内の下辺部に設けられた５つの電源用電極接続端子１５ａと、これらの電源用電極接続端子１５ａから半導体チップ搭載領域２１の下側において下ガラス基板２の下側の突出端近傍まで延ばされた５つの電源用端子１５ｂとからなっている。
【０００８】
ここで、信号入力用配線１４および電源用配線１５はＩＴＯ等の透明金属によって形成されている。そして、電源用配線１５を信号入力用配線１４よりも幅広に形成しているのは、電源用配線１５には信号入力用配線１４よりも大きな電流が流れるので、その配線抵抗を低くするためである。なお、入力配線１３については、その詳細な説明を省略する。
【０００９】
フレキシブル配線基板１１は、図５に示すように、帯状部２２ａおよびこの帯状部２２ａの下辺の所定の箇所から突出された突出部２２ｂを有するフィルム２２を備えている。そして、図６（ｂ）の透過拡大平面図に図示される如く、フィルム２２の帯状部２２ａの下面の各所定の箇所には、３組の入力配線１２の信号入力用端子１４ｂおよび電源用端子１５ｂに接続される３組の接続端子２３ａ、２３ｂおよび１組の入力配線１３に接続される１組の接続端子２４（図５参照）が設けられている。
【００１０】
図５および図６（ｂ）において、中央の１組の接続端子２３ａ、２３ｂおよび接続端子２４は、フィルム２２の突出部２２ｂの突出端部下面に設けられた接続端子（図示せず）に、フィルム２２の帯状部２２ａおよび突出部２２ｂの下面に設けられた引き回し線（図示せず）を介して接続されている。一方、残りの２組の接続端子２３ａ、２３ｂは、図示しないスルーホールおよびフィルム２２の上面に接続端子２３ａ、２３ｂを横断して形成された中継配線を介して中央の１組の接続端子２３ａ、２３ｂの各対応する接続端子に接続されている。
【００１１】
すなわち、フレキシブル配線基板１１は、３組の接続端子２３ａ、２３ｂと１組の接続端子２４が下面に形成され、中央の１組の接続端子２３ａ、２３ｂと残りの２組の接続端子２３ａ、２３ｂとを接続する中継配線が上面に形成された両面配線基板となされているものであり、３組の接続端子２３ａ、２３ｂはフィルム２２の帯状部２２ａの下面に並列的に設けられ、そのうちの所定の１組はフィルム２２の帯状部２２ａの下面に設けられた引き回し線に直接接続され、残りの２組はスルーホール等を介して上記引き回し線に接続されているのである。
【００１２】
また、この場合、図６（ａ）に示すように、液晶表示パネル１の信号入力用配線１４および電源用配線１５の配置は、後述する半導体チップ４の仕様（信号入力用バンプ電極および電源用バンプ電極の配置）に合わせて、入り乱れた配置となっているので、これに応じて、図６（ｂ）に示すように、フレキシブル配線基板１１の接続端子２３ａ、２３ｂの配置も入り乱れた配置となっている。
【００１３】
次に、７（ａ）は図６（ａ）に示す液晶表示パネル１の半導体チップ搭載領域２１に搭載される半導体チップ４の端子位置を示すための透過拡大平面図、図７（ｂ）は図６（ａ）に示す液晶表示パネル１の半導体チップ搭載領域２１の拡大平面図を示したものである。液晶表示パネル１の半導体チップ搭載領域２１内の上辺部には複数の出力配線８の一端部からなる出力用電極接続端子８ａが千鳥状に設けられている。半導体チップ４の下面の下辺部には複数の信号入力用バンプ電極３１および一対で１組の５組の電源用バンプ電極３２が設けられ、同下面の上辺部には複数の出力用バンプ電極３３が千鳥状に設けられる。上記において、電源用バンプ電極３２は、一対毎に図示しないパターンで接続されており、各１組が１つの電源用電極接続端子１５ａに対応している。
【００１４】
そして、半導体チップ４を液晶表示パネル１の半導体チップ搭載領域２１に異方性導電接着剤を介して搭載した状態では、半導体チップ４の信号入力用バンプ電極３１、電源用バンプ電極３２および出力用バンプ電極３３は、液晶表示パネル１の半導体チップ搭載領域２１内の信号入力用電極接続端子１４ａ、電源用電極接続端子１５ａおよび出力用電極接続端子８ａに接続されている。
【００１５】
【発明が解決しようとする課題】
ところで、従来のこのような液晶表示装置におけるフレキシブル配線基板１１では、図７（ａ）に示す半導体チップ４の仕様（信号入力用バンプ電極３１および電源用バンプ電極３２の配置）に合わせて、図６（ｂ）に示すように、接続端子２３ａ、２３ｂの配置を入り乱れた配置としているので、フィルム２２の帯状部２２ａの下面に３組の接続端子２３ａ、２３ｂを並列的に設け、所定の２組の接続端子２３ａ、２３ｂをスルーホール等を介して、フィルム２２の帯状部２２ａの下面に設けられた共通の引き回し線に接続する構造としなければならず、この結果、フィルム２２の帯状部２２ａの幅が大きくなり、ひいては全体の占有面積が大きくなり、一定面積のベースフィルムからのフィルム２２の取り数が少なくなり、コスト高になってしまうという問題があった。
この発明の課題は、フレキシブル配線基板の占有面積を小さくすることである。
【００１６】
【課題を解決するための手段】
この発明は、一辺部に配列された複数の半導体チップ搭載領域を有する表示パネルと、複数の電源用電極および複数の信号入力用電極を有し、前記表示パネルの前記各半導体チップ搭載領域に搭載された複数の半導体チップと、前記表示パネルの一辺部のみに沿って配置され、前記半導体チップ搭載領域の外側に接合されたフレキシブル配線基板とを備えた表示装置において、前記表示パネルの各半導体チップ搭載領域の中、一端側に位置する半導体チップ搭載領域に対応して前記一辺部に垂直な方向に延出された電源用配線、第１の信号入力配線および第２の信号用入力配線を設け、他の半導体チップ搭載領域に対応して前記一辺部に垂直な方向に延出された電源用配線および第１の信号入力配線を設け、前記複数の半導体チップ搭載領域の中、前記一端側の半導体チップ搭載領域に対応して形成された第２の信号用入力配線を前記各半導体チップ搭載領域内を通過し、且つ、他の半導体チップ搭載領域に対応して形成された第２の信号用入力配線に接続されるよう引き回し、前記フレキシブル配線基板に、前記各半導体チップ搭載領域に対応して形成された前記電源用配線および前記第１の信号入力配線に接続される接続端子を設け、且つ、前記一端側の半導体チップ搭載領域に対応して形成された第２の信号用入力配線に接続される接続端子を設けたものである。
【００１７】
【発明の実施の形態】
図１はこの発明の一実施形態における液晶表示装置の平面図、図２（ａ）は図１に示す液晶表示パネルの所定の一部の分解した状態における拡大平面図、図２（ｂ）は図２（ａ）の液晶表示パネルの領域に対応する部分のフレキシブル配線基板の拡大平面図、図３（ａ）は図２（ａ）に示す液晶表示パネルの中央の半導体チップ搭載領域の拡大平面図、図３（ｂ）は図３（ａ）の液晶表示パネルの領域に対応する部分のフレキシブル配線基板の透過拡大平面図、図４（ａ）は図３（ａ）に示す液晶表示パネルの半導体チップ搭載領域に搭載される半導体チップの端子位置を示すための透過拡大平面図、図４（ｂ）は図３（ａ）に示す液晶表示パネルの半導体チップ搭載領域の拡大平面図を示したものである。これらの図において、図５〜図７と同一名称部分には同一の符号を付し、その説明を適宜省略する。
【００１８】
この実施形態における半導体チップ４では、図４（ａ）に示すように、下面の下辺部の左側に一対で１組の５組の電源用バンプ電極３２が設けられ、同下面の下辺部の右側に複数の信号入力用バンプ電極３１が設けられ、同下面の上辺部に複数の出力用バンプ電極３３が千鳥状に設けられている。
【００１９】
この半導体チップ４の仕様に対応して、図４（ｂ）に示すように、液晶表示パネル１の半導体チップ搭載領域２１内の下辺部の左側には５つの電源用配線４１の一端部からなる電源用電極接続端子４１ａが設けられ、同領域２１内の下辺部の右側のうち左側には複数の第１の信号入力用配線４２（図３（ａ）参照）の一端部からなる第１の信号入力用電極接続端子４２ａが設けられ、同領域２１内の下辺部の右側のうち右側には複数の第２の信号入力用配線４３（図３（ａ）参照）の所定の一部からなる第２の信号入力用電極接続端子４３ａが設けられ、同領域２１内の上辺部には複数の出力用配線８の一端部からなる出力用電極接続端子８ａが千鳥状に設けられている。
【００２０】
図３（ａ）に示すように、電源用配線４１は、電源用電極接続端子４１ａから半導体チップ搭載領域２１の下側において下ガラス基板２の下側の突出端近傍まで延ばされた電源用端子４１ｂを有している。第１の信号入力用配線４２は、第１の信号入力用電極接続端子４２ａから半導体チップ搭載領域２１の下側において下ガラス基板２の下側の突出端近傍まで延ばされた第２の信号入力用端子４２ｂを有している。
【００２１】
次に、第２の信号入力用配線４３について説明する。図２（ａ）において中央の半導体チップ搭載領域２１についてみると、図３（ａ）および図４（ｂ）に示すように、第２の信号入力用電極接続端子４３ａの上側から半導体チップ搭載領域２１内に適宜に延ばされ、且つ、第２の信号入力用電極接続端子４３ａの下側から半導体チップ搭載領域２１外に適宜に延ばされた信号入力用中継配線４３ｂが設けられている。
【００２２】
信号入力用中継配線４３ｂの下端部は、図２（ａ）および図３（ａ）に示すように、中央の半導体チップ搭載領域２１の右下側、その右側およびその右側の半導体チップ搭載領域２１内に設けられた信号入力用中継配線４３ｃを介して、右側の半導体チップ搭載領域２１内の第２の信号入力用電極接続端子４３ａに接続され、さらにこの第２の信号入力用電極接続端子４３ａから右側の半導体チップ搭載領域２１の下側において下ガラス基板２の下側の突出端近傍まで延ばされた第２の信号入力用端子４３ｄに接続されている。
【００２３】
信号入力用中継配線４３ｂの上端部は、図２（ａ）、図３（ａ）および図４（ｂ）に示すように、中央の半導体チップ搭載領域２１内、その左側およびその左側の半導体チップ搭載領域２１の右下側に設けられた信号入力用中継配線４３ｅを介して、左側の半導体チップ搭載領域２１内の第２の信号入力用電極接続端子４３ａに接続されている。
【００２４】
フレキシブル配線基板１１は、図１に示すように、幅狭の帯状部２２ａおよびこの帯状部２２ａの下辺の所定の箇所から突出された突出部２２ｂを有するフィルム２２を備えている。そして、図１、図２（ｂ）および図３（ｂ）に示すように、フィルム２２の帯状部２２ａの下面の各所定の箇所には、３組の電源用配線４１の電源用端子４１ｂ、３組の第１の信号入力用配線４２の第１の信号入力用端子４２ｂ、第２の信号入力用配線４３の第２の信号入力用端子４３ｄおよび入力配線１３に接続される接続端子５１〜５４が設けられている。この場合、フレキシブル配線基板１１には、液晶表示パネル１の中央および左側の半導体チップ搭載領域２１内の第２の入力用電極接続端子４３ａに直接的に接続される接続端子は設けられていない。
【００２５】
図１および図２（ｂ）において、右側の接続端子５１〜５４は、フィルム２２の突出部２２ｂの突出端部下面に設けられた接続端子（図示せず）に、フィルム２２の帯状部２２ａおよび突出部２２ｂの下面に設けられた引き回し線（図示せず）を介して接続されている。一方、中央および左側の接続端子５１、５２は、図示しないスルーホールおよびフィルム２２の上面に接続端子５１、５２を横断して形成された中継配線を介して右側の接続端子５１、５２の各対応する接続端子に接続されている。
【００２６】
次に、フレキシブル配線基板１１の一端部下面を下ガラス基板２の下側の突出部２ａの上面において半導体チップ搭載領域２１の外側に異方性導電接着剤（図示せず）を介して接合した状態の一部について説明する。フレキシブル配線基板１１の接続端子５１は、図３を参照して説明すると、電源用端子４１ｂを介して半導体チップ搭載領域２１内の電源用電極接続端子４１ａに接続されている。フレキシブル配線基板１１の接続端子５２は、図３を参照して説明すると、第１の信号入力用端子４２ｂを介して半導体チップ搭載領域２１内の第１の信号入力用電極接続端子４２ａに接続されている。
【００２７】
フレキシブル配線基板１１の接続端子５３は、図２を参照して説明すると、第２の信号入力用端子４３ｄを介して右側の半導体チップ搭載領域２１内の第２の信号入力用電極接続端子４３ａに接続され、さらにその左側の信号入力用中継配線４３ｃ等を介してその左側の半導体チップ搭載領域２１内の第２の信号入力用電極接続端子４３ａに接続され、さらにその左側の信号入力用中継配線４３ｅ等を介してその左側の半導体チップ搭載領域２１内の第２の信号入力用電極接続端子４３ａに接続されている。
【００２８】
このように、この液晶表示装置では、半導体チップ４の仕様に合わせて、液晶表示パネル１の各半導体チップ搭載領域２１内の下辺部の左側に電源用電極接続端子４１ａを集めて設けているので、フレキシブル配線基板１１においても、各組の電源用端子４１ｂに接続される接続端子５１をそれぞれ１箇所に集めて設けることができる。この結果、液晶表示パネル１の相隣接する半導体チップ搭載領域２１内の第２の信号入力用電極接続端子４３ａを信号入力用中継配線４３ｃ、４３ｅ等を介して相互に接続することが可能となり、フレキシブル配線基板１１に、液晶表示パネル１の中央および左側の半導体チップ搭載領域２１内の第２の入力用電極接続端子４３ａに直接的に接続される接続端子を設ける必要がなく、したがってフレキシブル配線基板１１に設ける配線の量が少なくなり、それに応じてフィルム２２の帯状部２２ａの幅を小さくすることができ、フレキシブル配線基板１１の占有面積を小さくすることができる。この結果、一定面積のベースフィルムからのフィルム２２の取り数が増大し、フレキシブル配線基板１１のコストを低減することができる。
【００２９】
この場合、本発明の実施形態では、表示パネルの各半導体チップ搭載領域内に、前記各半導体チップの一部の信号入力用電極に接続される第１の信号入力用配線および残りの信号入力用電極に接続される第２の信号入力用配線を設け、前記フレキシブル配線基板に、前記第１の信号入力用端子に接続される第１の信号入力用接続端子を設けて直接各半導体チップの信号入力用バンプ電極に入力するとともに、表示パネルに、対応する前記第２の信号入力用配線相互を共通に接続する信号入力用中継配線を設けた構成としているので、信号入力ラインの本数が多いデジタル式の液晶表示パネルに適用可能である。
【００３０】
また、この液晶表示装置では、液晶表示パネル１の下ガラス基板２の下側の突出部２ａの上面に信号入力用中継配線４３ｂ、４３ｃ、４３ｅを設けているが、これらの信号入力用中継配線４３ｂ、４３ｃ、４３ｅを半導体チップ搭載領域２１内に設けているので、下ガラス基板２の下側の突出部２ａの幅（額縁の幅）が大きくならないようにすることができる。
【００３１】
なお、上記実施形態では、液晶表示パネル１の相隣接する半導体チップ搭載領域２１内の第２の信号入力用電極接続端子４３ａを信号入力用中継配線４３ｂ、４３ｃ、４３ｅを介して接続した場合について説明したが、これに限らず、液晶表示パネル１の相隣接する半導体チップ搭載領域２１内のすべてのつまり第１および第２の信号入力用電極接続端子４３ａを信号入力用中継配線を介して接続するようにしてもよい。
【００３２】
【発明の効果】
以上説明した通り、この発明によれば、一辺部に配列された複数の半導体チップ搭載領域を有する表示パネルと、複数の電源用電極および複数の信号入力用電極を有し、前記表示パネルの前記各半導体チップ搭載領域に搭載された複数の半導体チップと、前記表示パネルの一辺部のみに沿って配置され、前記半導体チップ搭載領域の外側に接合されたフレキシブル配線基板とを備えた表示装置において、前記表示パネルの各半導体チップ搭載領域の中、一端側に位置する半導体チップ搭載領域に対応して前記一辺部に垂直な方向に延出された電源用配線、第１の信号入力配線および第２の信号用入力配線を設け、他の半導体チップ搭載領域に対応して前記一辺部に垂直な方向に延出された電源用配線および第１の信号入力配線を設け、前記複数の半導体チップ搭載領域の中、前記一端側の半導体チップ搭載領域に対応して形成された第２の信号用入力配線を前記各半導体チップ搭載領域内を通過し、且つ、他の半導体チップ搭載領域に対応して形成された第２の信号用入力配線に接続されるよう引き回し、前記フレキシブル配線基板に、前記各半導体チップ搭載領域に対応して形成された前記電源用配線および前記第１の信号入力配線に接続される接続端子を設け、且つ、前記一端側の半導体チップ搭載領域に対応して形成された第２の信号用入力配線に接続される接続端子を設けたので、フレキシブル配線基板において、表示パネルの電源用配線に接続される電源用接続端子を１箇所に集めて設けることができ、この結果、フレキシブル配線基板に設ける配線の量を少なくすることが可能となり、それに応じてフレキシブル配線基板の占有面積を小さくすることができ、ひいてはフレキシブル配線基板のコストを低減することができる。
【図面の簡単な説明】
【図１】この発明の一実施形態における液晶表示装置の平面図。
【図２】（ａ）は図１に示す液晶表示パネルの所定の一部の分解した状態における拡大平面図、（ｂ）は図２（ａ）の液晶表示パネルの領域に対応する部分のフレキシブル配線基板の拡大平面図。
【図３】（ａ）は図２（ａ）に示す液晶表示パネルの中央の半導体チップ搭載領域の拡大平面図、（ｂ）は図３（ａ）の液晶表示パネルの領域に対応する部分のフレキシブル配線基板の透過拡大平面図。
【図４】（ａ）は図３（ａ）に示す液晶表示パネルの半導体チップ搭載領域に搭載される半導体チップの端子位置を示すための透過拡大平面図、（ｂ）は図３（ａ）に示す液晶表示パネルの半導体チップ搭載領域の拡大平面図。
【図５】従来の液晶表示装置の一例を示す平面図。
【図６】（ａ）は図５に示す液晶表示パネルの所定の一部の分解した状態における拡大平面図、（ｂ）は図６（ａ）の液晶表示パネルの領域に対応する部分のフレキシブル配線基板の透過拡大平面図。
【図７】（ａ）は図６（ａ）に示す液晶表示パネルの半導体チップ搭載領域に搭載される半導体チップの端子位置を示すための透過拡大平面図、（ｂ）は図６（ａ）に示す液晶表示パネルの半導体チップ搭載領域の拡大平面図。
【符号の説明】
１  液晶表示パネル
２  下ガラス基板
２ａ  突出部
４  半導体チップ
１１  フレキシブル配線基板
２２  フィルム
２２ａ  帯状部
２２ｂ  突出部
４１  電源用配線
４１ａ  電源用電極接続端子
４１ｂ  電源用端子
４２  第１の信号入力用配線
４２ａ  第１の信号入力用電極接続端子
４２ｂ  第１の信号入力用端子
４３  第２の信号入力用配線
４３ａ  第２の信号入力用電極接続端子
４３ｂ、４３ｃ、４３ｅ  信号入力用中継配線
４３ｄ  第２の信号入力用端子
５１、５２、５３  接続端子
【図１】
0003778759.tif 000002
【図２】
0003778759.tif 000003
【図３】
0003778759.tif 000004
【図４】
0003778759.tif 000005
【図５】
0003778759.tif 000006
【図６】
0003778759.tif 000007
【図７】
0003778759.tif 000008